【手続補正書】
【提出日】平成22年9月28日(2010.9.28)
【手続補正１】
【補正対象書類名】特許請求の範囲
【補正対象項目名】全文
【補正方法】変更
【補正の内容】
【特許請求の範囲】
【請求項１】
試薬を注入可能とする注入口と該注入口を塞ぐ蓋とを有する試薬容器それぞれを隣接させて複数配列し保持する保持部と、該保持部ごと該試薬容器を収容する試薬庫と、少なくとも該保持部を移動することにより該保持された試薬容器を移動可能とする移動手段とを有する自動分析装置であって、
前記試薬庫に収容された前記試薬容器の配列と並行した配列で、かつ該試薬容器と１対１で対応する位置において、対応する前記蓋を保持可能な載置台を備え、
前記移動手段によって前記試薬庫内部で前記試薬容器が移動した後においても、該移動開始前の該試薬容器と前記蓋との対応関係が保持されること、
を特徴とする自動分析装置。
【請求項２】
前記試薬庫における前記保持部には、前記試薬容器が環状に配列され、
前記載置台は、環状に形成され、前記保持部に保持された試薬容器の配列の内側または外側に配置されること、
を特徴とする請求項１に記載の自動分析装置。
【請求項３】
前記移動手段による前記試薬容器の移動後に、前記試薬容器の前記試薬庫における移動開始前の位置から該移動後の位置までのあらかじめ定められた移動量分だけ、該試薬容器の位置を戻すように前記移動手段を制御する第１位置復帰手段を備えたこと、
を特徴とする請求項１に記載の自動分析装置。
【請求項４】
前記移動手段による前記試薬容器の移動後に、前記試薬庫における前記複数の試薬容器のうち、特定の試薬容器の位置を検出し、該試薬容器を移動開始前の位置へ戻すように該移動手段を制御する第２位置復帰手段を備えたこと、
を特徴とする請求項１に記載の自動分析装置。
【請求項５】
前記移動手段は、対応する前記試薬容器と前記蓋との位置関係を保ちつつ、前記保持部とともに前記載置台を移動させること、
を特徴とする請求項１に記載の自動分析装置。
【請求項６】
前記載置台は、対応する前記蓋を保持可能な凹部または凸部を有し、かつ前記保持部に環状に配列された試薬容器の周縁近傍の位置で前記試薬庫に形成されること、
を特徴とする請求項２に記載の自動分析装置。
【請求項７】
前記載置台は、可撓性を有するとともに前記蓋の直径とほぼ同じ幅を有して該蓋それぞれを嵌合させて保持可能な凹部を有すること、
を特徴とする請求項１に記載の自動分析装置。
【請求項８】
自動分析装置における試薬庫に設置され、かつ試薬を注入可能とする注入口と該注入口を塞ぐ蓋とを有する自動分析装置用の試薬容器であって、
前記試薬容器における前記注入口が形成されている面において前記蓋を保持可能な大きさの凹部を備えたこと、
を特徴とする試薬容器。
【請求項９】
前記試薬容器は、前記注入口から前記凹部へ向かう方向に長さ方向を有するように形成され、
前記凹部は、前記試薬容器の前記面から、該試薬容器内部側へ陥没するように形成され、かつ前記試薬容器の長さ方向と平行な面が開放されて形成されること、
を特徴とする請求項８に記載の試薬容器。
【請求項１０】
前記凹部の開放部分の前記長さ方向における長さは、少なくとも前記蓋の径より短くなるように形成されること、
を特徴とする請求項９に記載の試薬容器。
【請求項１１】
前記凹部における陥没方向の深さは、前記蓋の高さのおよそ１／３程度となるように形成されること、
を特徴とする請求項８に記載の試薬容器。
【請求項１２】
自動分析装置の試薬庫に設置可能であり、かつ試薬を注入可能とする注入口と該注入口を塞ぐ蓋とを有する試薬容器であって、
前記試薬容器における前記注入口が形成されている面において前記蓋を保持可能な大きさの凸部を備えたこと、
を特徴とする試薬容器。
【請求項１３】
前記試薬容器は、前記注入口から前記凸部へ向かう方向に長さ方向を有するように形成され、
前記凸部の前記長さ方向と直交する方向の幅は、前記蓋の幅とほぼ同じ長さとなるように形成されること、
を特徴とする請求項１２に記載の試薬容器。
【請求項１４】
前記試薬容器の凸部は、前記蓋の内形に合わせた形状となるように形成されること、
を特徴とする請求項１３に記載の試薬容器。
【請求項１５】
前記試薬容器の凸部は、該凸部の中心から等距離に延伸する略十字状に形成されていること、
を特徴とする請求項１２に記載の試薬容器。
【手続補正２】
【補正対象書類名】明細書
【補正対象項目名】発明の名称
【補正方法】変更
【補正の内容】
【発明の名称】自動分析装置および試薬容器
【手続補正３】
【補正対象書類名】明細書
【補正対象項目名】０００１
【補正方法】変更
【補正の内容】
【０００１】
本発明は、検体中に含まれる成分、特に血液や尿等に含まれる化学成分を分析する自動分析装置とそれに用いる試薬容器に関する。
【手続補正４】
【補正対象書類名】明細書
【補正対象項目名】０００４
【補正方法】変更
【補正の内容】
【０００４】
このような自動分析装置には様々な種類のものがあり、例えば次のようなものがある。試薬ボトル（試薬容器）から目的の試薬を吸引（分取）するプローブと、試薬庫内で回転する試薬ボトルとを有する自動分析装置において、試薬庫に、プローブの移送軌跡と、試薬容器の注入口（吸引口）の移動軌跡とが交わる位置に複数の試薬容器の吸引位置を設ける。さらに、試薬容器は移動距離の短くなる吸引位置を選択して移動するように構成されたものがある（特許文献１）。この自動分析装置は、試薬容器の移動距離を短く構成することにより、試薬液面の揺れを抑え試薬分注不良等を防止することができる。
【手続補正５】
【補正対象書類名】明細書
【補正対象項目名】００１２
【補正方法】変更
【補正の内容】
【００１２】
上記の課題を解決するために、請求項１記載の発明は、試薬を注入可能とする注入口と該注入口を塞ぐ蓋とを有する試薬容器それぞれを隣接させて複数配列し保持する保持部と、該保持部ごと該試薬容器を収容する試薬庫と、少なくとも該保持部を移動することにより該保持された試薬容器を移動可能とする移動手段とを有する自動分析装置であって、前記試薬庫に収容された前記試薬容器の配列と並行した配列で、かつ該試薬容器と１対１で対応する位置において、対応する前記蓋を保持可能な載置台を備え、前記移動手段によって前記試薬庫内部で前記試薬容器が移動した後においても、該移動開始前の該試薬容器と前記蓋との対応関係が保持されること、を特徴とする自動分析装置である。
また上記の課題を解決するために、請求項８記載の発明は、自動分析装置における試薬庫に設置され、かつ試薬を注入可能とする注入口と該注入口を塞ぐ蓋とを有する自動分析装置用の試薬容器であって、前記試薬容器における前記注入口が形成されている面において前記蓋を保持可能な大きさの凹部を備えたこと、を特徴とする試薬容器である。
また上記の課題を解決するために、請求項１２記載の発明は、自動分析装置の試薬庫に設置可能であり、かつ試薬を注入可能とする注入口と該注入口を塞ぐ蓋とを有する試薬容器であって、前記試薬容器における前記注入口が形成されている面において前記蓋を保持可能な大きさの凸部を備えたこと、を特徴とする試薬容器である。
【手続補正６】
【補正対象書類名】明細書
【補正対象項目名】００１３
【補正方法】変更
【補正の内容】
【００１３】
請求項１記載の発明によれば、当該自動分析装置が試薬容器と対応づけられた位置に、試薬容器の蓋の設置場所を確保することにより、当該試薬容器と当該蓋とが一対一となるように対応関係を保つことが可能である。したがって、試薬容器の蓋が散乱してしまう事態を防止することができるので、測定者等の混乱を回避することができる。また、蓋を取り違えてしまうことによって自動分析装置の分析・測定に支障をきたす事態を防止することが可能となる。さらには、蓋が散乱していることによって自動分析装置の機構部に支障をきたす事態を防止することが可能となる。
【手続補正７】
【補正対象書類名】明細書
【補正対象項目名】００１４
【補正方法】変更
【補正の内容】
【００１４】
また、請求項８及び１２記載の発明によれば、試薬容器自体に蓋の設置場所が設けられていることにより、当該試薬容器と当該蓋とが一対一となるように対応関係を保つことが可能である。したがって、試薬容器の蓋が散乱してしまう事態を防止することができるので、測定者等の混乱を回避することができる。また、蓋を取り違えてしまうことによって自動分析装置の分析・測定に支障をきたす事態を防止することが可能となる。さらには、蓋が散乱していることによって自動分析装置の機構部に支障をきたす事態を防止することが可能となる。